(57)【特許請求の範囲】
【請求項１】
建物の床パネルの下に配置され床パネルの上方にまで延びて可撓性を有する床下配管を、床パネルの上の屋内配管に接続するための配管の固定方法であって、
建物の基礎と、この基礎に固定される配管固定具とを備え、
基礎に配管固定具を固定する工程と、
基礎に配管固定具を固定した後、その配管固定具に床下配管の上端部を基礎の上端面より低い位置となるように配置する工程と、
配管固定具に床下配管を配置した後、基礎の上面に床パネルを形成する工程と、
床パネルを形成後、床下配管の配置位置に合わせて床パネルの表裏に貫通する貫通孔を形成する工程と、
貫通孔を形成後、この貫通孔から床下配管の上端部を床パネルの上方に引っ張り上げる工程と、
この引っ張り上げた床下配管の上端部を屋内配管に接続する工程とを備えたことを特徴とする配管の固定方法。
【請求項２】
配管固定具に固定された床下配管の上端部には、その床下配管の上端部を塞ぐためのキャップが形成され、
このキャップは、その上部に係止部を備え、
この係止部に係止可能な被係止部を先端に有する引き上げ具を、床パネルの上方から床下に向かって貫通孔に通す工程と、
引き上げ具を貫通孔に通した後、引き上げ具の被係止部をキャップの係止部に引っかけて、引き上げ具を引き上げることにより、キャップ及び床下配管を貫通孔の上方に引き上げる工程とを備えたことを特徴とする請求項１記載の配管固定方法。
【請求項３】
建物の基礎と、この基礎に固定される配管固定具と、この配管固定具に配置される可撓性を有する床下配管と、この床下配管の上方の床パネルの表裏に貫通して床下配管が通過可能な貫通孔とを備えた配管固定構造であって、
前記配管固定具に配置された床下配管の上端部には、貫通孔の内部を通過可能であって、その床下配管の上端部を塞ぐためのキャップがはめ込まれ、
このキャップは、床パネルの上方から貫通孔を通して差し込まれる引き上げ具の先端と係止可能な係止部を備えていることを特徴とする配管固定構造。
【請求項４】
配管固定具は、基礎上面に沿って水平方向に配置されて基礎上面に固定される基礎固定部と、この基礎固定部の室内側の端部から基礎の側面に沿って下方に延びる鉛直連結部と、この鉛直連結部の下端から室内側に向かって横方向に延びる配管支持部とを備え、
この配管支持部は、床下配管が挿入されて所定の位置に床下配管を支持可能な配管位置決め挿入口を備えたことを特徴とする請求項３記載の配管固定構造。
【発明の詳細な説明】
【０００１】
【発明の属する技術分野】
この発明は、建物の床下に敷設される床下配管を床上の屋内配管と接続するための固定方法及びその固定構造に関するものである。
【０００２】
【先行技術】
従来から、住居には水道水を供給するための給水管や、汚水を排出するための排水管が設けられている。
【０００３】
図８及び図９は、従来の配管固定構造であって、図８は、その概略模式図、図９は、その縦断面図をそれぞれ示すものである。
【０００４】
前記給水管は、図８及び図９に示すように、道路160等に埋設された上水道本管185から建物躯体110までの敷地120内に埋設される引き込み管180と、建物躯体110の床下地中に埋設される床下配管115と、前記床下配管115から建物躯体110内のキッチンや浴室等に設けた給水栓195等までを接続する屋内配管190とによって、上水道本管185から給水栓195等まで水道水を導く配管として形成されている。
【０００５】
また、特に図示しないが、前記排水管は、キッチンや浴室等に設けた排水口から建物躯体の床下までの屋内配管と、建物躯体の床下で地中に埋設される床下配管と、前記床下配管から下水道本管までを埋設状態で接続する引き込み管とによって、排水口から下水道本管まで汚水を導く配管として形成されている。
【０００６】
なお、今日では、屋内又は屋外に、温水を供給するための給湯器140が設けられることが多い。そして、当該給湯器140からキッチンや浴室等に設けた給水栓195まで温水を導くための管である給湯管150も、図８に示すように、前記給水管の床下配管115や屋内配管190と併せて敷設されることがある。
【０００７】
以下、給水管の敷設作業を簡単に説明する。
【０００８】
従来、床下配管115とされる給水管の敷設作業は、所定の長さに切断された剛管を組み合わせて、建物躯体110の床下で基礎130が完成する前に、基礎130を貫通させるようにして地中に埋設し、所定の位置で垂直上方に立ち上げるものである。即ち、施工図面に従って、上水道本管185から敷地120内の所定の位置に溝を形成し、当該溝の内部に所定の長さに切断された管状パイプである金属製等の剛性を有する剛管を、「Ｔ」字形や「Ｌ」字形等の適宜形状の継ぎ手部材170を用いて組み合わせつつ建物躯体110の外周基礎の近くまで引き込み管180を配置していく。同様に、建物躯体110の床下となる建物躯体110の外周基礎の内側で溝を形成し、当該溝の内部に所定の長さに切断された管状パイプである金属製等の剛性を有する剛管を、「Ｔ」字形や「Ｌ」字形等の適宜形状の継ぎ手部材170を用いて組み合わせつつ配置し、当該組み合わせた剛管の一端を上水道本管185からの引き込み管180の端部と接続し、また、他端を屋内配管190と接続される所定場所の近辺で地面より上方の位置まで垂直上方に立ち上げる。そして、組立現場において、床下配管115を垂直上方に立ち上げた位置に相当する箇所の床パネル111の表裏に貫通する貫通孔112をドリル等を使用して開口する。そして、地面から鉛直上方に立ち上がる鉛直連結管196を床パネル111を貫通するように通して、鉛直連結管196の下端を床下において、地面付近にまで立ち上げられた床下配管115の上端部と接続する。また、鉛直連結管196の上端を床上において、屋内配管190の下端部と接続する。上述した配管の施工方法及び固定構造により、床下配管115と屋内配管190とを連結していた。
【０００９】
【発明が解決しようとする課題】
しかし、上記した従来の配管の固定方法及び配管固定構造においては、鉛直連結管196の下端と、地面から立ち上がった床下配管115の上端とを床下において接続しなければならず、かかる作業は狭い床下内部での作業となって、接合作業に手間がかかるという第一の問題点があった。
【００１０】
また、屋内における洗面流し台等の給水栓195等の屋内配管の取り付け位置は、床パネル111等の建物躯体に対して、正確に確定しているため、これに接続するための床下から垂直上方に室内側に延ばす床下配管115も、かかる給水栓195等の屋内配管に接続しやすいように所定の位置に正確に床下から立ち上げるのが望まれる。しかし、かかる配管の取り付け位置を基礎130が完成する前の段階において、基礎130の形成予定位置等からの距離を測定して、正確に定めることは、現場における配管敷設作業において、容易ではなかった。すなわち、従来の配管固定構造において、剛管によって形成されている配水管や給水管の床下配管115の固定が、建物躯体110の基礎の施工前に形成される場合には、キッチンや浴室等の所定位置に立ち上げたつもりの床下配管115の位置が、その後に形成された基礎等が建物躯体に対してずれて敷設されることがあり、その位置精度が悪かった。このため、かかる床下配管115の位置決め作業は容易ではないという第二の問題点があった。
【００１１】
そこで、請求項１記載の発明は、上記した従来の技術の有する第一の問題点に鑑みてなされたものであり、その目的とするところは、床下での床下配管の接続作業をする必要がなくなり、床下配管の接続作業を容易にすることができる配管の固定方法を提供しようとするものである。
【００１２】
これに加え、請求項２記載の発明は、上記した従来の技術の有する第二の問題点に鑑みてなされたものであり、その目的とするところは、床下配管の位置決め作業を容易且つ確実にすることができて、配管の固定作業を容易にすることができる配管の固定方法を提供しようとするものである。
【００１３】
これに加え、請求項３記載の発明は、床下配管の床下からの引き上げ作業を容易にすることができて、床下配管の接続作業を容易にすることができる配管の固定方法を提供しようとするものである。
【００１４】
請求項４記載の発明は、床下での床下配管の接続作業を不要にして、床下配管の位置決め作業を容易且つ確実にすることができ、床下配管を床下から容易に引き上げることができて、床下配管の接続作業を容易にすることができる配管固定構造を提供しようとするものである。
【００１５】
これに加え、請求項５記載の発明は、簡単な構造で、床下配管を確実且つ正確に支持することができて、配管固定作業をスムーズに行うことができる配管固定構造を提供しようとするものである。
【００１６】
【課題を解決するための手段】
本発明は、上記した目的を達成するためのものである。
【００１７】
請求項１記載の発明は、建物の床パネル(20)の下に配置され配置され床パネル(20)の上方にまで延びて可撓性を有する床下配管(11)を、床パネル(20)の上の屋内配管に接続するための配管(10)の固定方法であって、建物の基礎(30)と、この基礎(30)に固定される配管固定具(40)とを備え、基礎(30)に配管固定具(40)を固定する工程と、基礎(30)に配管固定具(40)を固定した後、その配管固定具(40)に床下配管(11)の上端部を基礎(30)の上端面より低い位置となるように配置する工程と、配管固定具(40)に床下配管(11)を配置した後、基礎(30)の上面に床パネル(20)を形成する工程と、床パネル(20)を形成後、床下配管(11)の配置位置に合わせて床パネル(20)の表裏に貫通する貫通孔(22)を形成する工程と、貫通孔(22)を形成後、この貫通孔(22)から床下配管(11)の上端部を床パネル(20)の上方に引っ張り上げる工程と、この引っ張り上げた床下配管(11)の上端部を屋内配管に接続する工程とを備えたことを特徴とする。
【００１８】
本発明は、床パネル(20)下面の床下(21)に床下配管(11)の端部を配置した後、床パネル(20)を形成し、その後、その床下配管(11)の上方の位置の床パネル(20)に開けられた貫通孔(22)から床下配管(11)の端部を引き上げている。そして、床下配管(11)を床パネル(20)の上に引き上げた後、床パネル(20)の上方で床下配管(11)の端部を屋内配管に接続している。このため、床下配管(11)と屋内配管との接続作業を、床パネル(20)の下の床下(21)での接続作業をすることなく、行うことができる。これにより、狭くて暗く、また、地面に直接、接して作業環境としては良くない床下(21)での接続作業を回避することができ、広くて明るく、床パネル(20)の上の良好な作業環境の下で、床下配管(11)と屋内配管との接続作業を行うことができ、床下配管(11)の接続作業を容易にすることができる。
【００２０】
なお、「可撓性を有する床下配管(11)」とは、剛性を有する鋼やステンレス等の剛管ではなく、容易に変形や曲げを及ぼすことができる管状パイプであって、弾性プラスチック又は合成ゴム等を管状に形成したものや、環状又は螺旋状の鋼線を弾性プラスチック又は合成ゴム等で覆って、管軸方向に波形又は螺旋形の凹凸を有する管状に形成したもの等を含むものである。
【００２１】
さらに、本発明は、床下配管(11)を固定する配管固定具(40)が、基礎(30)に固定されている。このため、床下配管(11)の取付位置が基礎(30)等の建物躯体(31)を基準として正確に設定される。これにより、床下配管(11)の取付位置が建物躯体(31)を基準とした取付予定位置からずれて敷設されることを抑えることができ、床下配管(11)の設置位置の精度を良好なものにすることができ、床下配管(11)を床下(21)で配置する位置を正確に設定することができる。
【００２２】
また、床下配管(11)を床下(21)で配置する位置を正確に特定することができるため、これらの床下配管(11)を床下(21)から床上に通すために床パネル(20)に形成する貫通孔(22)の形成位置も正確に特定することができ、その寸法形状も必要最小限に抑えることができる。そして、貫通孔(22)の寸法形状を必要最小限に抑えることができるため、貫通孔(22)と床下配管(11)との間の隙間も最小限に抑えることができ、かかる隙間を埋める作業を簡単なものにすることができて、使用材料費を抑えて床下配管(11)の取り付け作業を容易なものにすることができる。
【００２３】
そして、上述したように基礎(30)に配管固定具(40)を固定しているため、床下配管(11)の取付位置を、基礎(30)等の建物躯体(31)を基準として正確に設定することができる。一方、この床下配管(11)を接続する屋内配管等は、その位置が床パネル(20)等の建物躯体(31)を基準とした正確な位置に設定されている。すなわち、床下(21)から室内(23)側に向かって延びる床下配管(11)と、室内に配置される屋内配管との両者共に、基礎(30)等の建物躯体(31)を基準として、正確に位置することとなって、両者の接続を、正確、且つ確実に行うことができ、床下配管(11)の取り付け作業をスムーズに行うことができる。
【００２４】
また、床下配管(11)は、可撓性を有している。このため、床下配管(11)を貫通孔(22)を介して床パネル(20)の上方に引っ張り上げる作業を、剛性を有する剛管等を使用する場合と比較して、作業中に貫通孔(22)の途中で引っかかることもなく、容易に行うことができる。さらに、床下配管(11)が可撓性を有しいるため、床パネル(20)の貫通孔(22)の位置と、配管固定具(40)に床下配管(11)を配置した位置とが、ずれて形成されていても、床下配管(11)を途中で強制的に簡単に曲げることができ、両者間を通すことができる。これにより、貫通孔(22)の位置と、配管固定具(40)に床下配管(11)を配置した位置とを互いに移動させたり、貫通孔(22)の大きさを変更させる必要がなく、両者の位置や形状の寸法誤差等を吸収することができ、配管(10)の固定作業を容易にすることができる。
【００２５】
請求項２記載の発明は、上記した請求項１記載の特徴点に加え、配管固定具(40)に固定された床下配管(11)の上端部には、その床下配管(11)の上端部を塞ぐためのキャップ(50)が形成され、このキャップ(50)は、その上部に係止部(51)を備え、この係止部(51)に係止可能な被係止部(54)を先端に有する引き上げ具(52)を、床パネル(20)の上方から床下(21)に向かって貫通孔(22)に通す工程と、引き上げ具(52)を貫通孔(22)に通した後、引き上げ具(52)の被係止部(54)をキャップ(50)の係止部(51)に引っかけて、引き上げ具(52)を引き上げることにより、キャップ(50)及び床下配管(11)を貫通孔(22)の上方に引き上げる工程とを備えたことを特徴とする。
【００２６】
なお、ここで、係止部(51)と被係止部(54)とは、一方が他方に係止することにより、連結するように係止可能なものであれば良いものであって、例えば、一方が環状やリング状であって、他方が、その環状のものを引っかけることができるフック状のものや、両者共にフック状のもの等を含むものである。
【００２７】
本発明は、係止部(51)に係止可能な被係止部(54)を先端に有する引き上げ具(52)を貫通孔(22)に通して、この引き上げ具(52)の被係止部(54)をキャップ(50)の係止部(51)に引っかけて、引き上げ具(52)を引き上げることにより、キャップ(50)及び床下配管(11)を貫通孔(22)の上方に引き上げている。すなわち、床下配管(11)の引き上げ作業において、床下(21)に差し込んでいるのは、引き上げ具(52)だけである。このため、床下(21)に手等を差し込むことなく、床パネル(20)の上面の室内(23)側から床下配管(11)を引っ張り上げることができ、床下配管(11)の引き上げ作業を容易にすることができる。
【００２８】
請求項３記載の発明は、建物の基礎(30)と、この基礎(30)に固定される配管固定具(40)と、この配管固定具(40)に配置される可撓性を有する床下配管(11)と、この床下配管(11)の上方の床パネル(20)の表裏に貫通して床下配管(11)が通過可能な貫通孔(22)とを備えた配管(10)固定構造であって、前記配管固定具(40)に配置された床下配管(11)の上端部には、貫通孔(22)の内部を通過可能であって、その床下配管(11)の上端部を塞ぐためのキャップ(50)がはめ込まれ、このキャップ(50)は、床パネル(20)の上方から貫通孔(22)を通して差し込まれる引き上げ具(52)の先端と係止可能な係止部(51)を備えていることを特徴とする。
【００２９】
なお、ここで、係止部(51)と引き上げ具(52)の先端との関係は、請求項２の作用で述べた係止部(51)及び被係止部(54)と同様のものを含むものである。
【００３０】
本発明は、配管固定具(40)に配置された床下配管(11)の上端部には、その床下配管(11)の上端部を塞ぐためのキャップ(50)が形成され、このキャップ(50)は、床パネル(20)の上方から貫通孔(22)を通して差し込まれる引き上げ具(52)の先端と係止可能な係止部(51)を備えている。このため、引き上げ具(52)の先端を床パネル(20)の貫通孔(22)に差し込んで、キャップ(50)の先端の係止部(51)に係止することができる。そして、その状態において、引き上げ具(52)を上方に持ち上げることにより、引き上げ具(52)の先端に係止されたキャップ(50)の係止部(51)が持ち上げられ、それに伴って、キャップ(50)と、このキャップ(50)がはめ込まれている床下配管(11)の上端部も上方に持ち上げられる。そして、さらに、引き上げ具(52)を貫通孔(22)の上方に引き上げることにより、キャップ(50)及び床下配管(11)を、貫通孔(22)の内部を通して床パネル(20)の上方に持ち上げることができる。これにより、床下(21)に配置された床下配管(11)を簡単に床パネル(20)の上方に持ち上げることができる。その作業の際、床下(21)に作業員が入り込むことなく、また、床下(21)に手等を差し込む必要がないため、床下配管(11)の引き上げ作業を容易にすることができる。
【００３１】
また、床下配管(11)が可撓性を有しているため、請求項２の作用で記載したものと同様の作用を奏することができる。
【００３２】
請求項４記載の発明は、上記した請求項３記載の特徴点に加え、配管固定具(40)は、基礎(30)上面に沿って水平方向に配置されて基礎(30)上面に固定される基礎固定部(41)と、この基礎固定部(41)の室内(23)側の端部から基礎(30)の側面に沿って下方に延びる鉛直連結部(42)と、この鉛直連結部(42)の下端から室内(23)側に向かって横方向に延びる配管支持部(43)とを備え、この配管支持部(43)は、床下配管(11)が挿入されて所定の位置に床下配管(11)を支持可能な配管位置決め挿入口(44)を備えたことを特徴とする。
【００３３】
本発明は、基礎固定部(41)が基礎(30)の上面に沿って水平方向に配置されて基礎(30)上面に固定されている。そして、基礎固定部(41)の室内側の端部から基礎(30)の側面に沿って下方に鉛直連結部(42)が形成され、この鉛直連結部(42)の下端から床下配管(11)を支持する配管支持部(43)が延びている。このため、配管支持部(43)に床下配管(11)が支持され、床下配管(11)や配管支持部(43)及び鉛直連結部(42)の自重が基礎固定部(41)の端部に加わっても、かかる荷重は、基礎固定部(41)の下面の全体において、基礎(30)の上面に分散して伝わることとなる。すなわち、かかる荷重が基礎固定部(41)を基礎(30)に固定するための、締結部材等の特定の領域に集中することなく、基礎固定部(41)の下面全体に荷重を分散させて支持することができる。これにより、応力が特定の箇所に集中することを避け、破断や変形等を回避し、確実に床下配管(11)を支持することができる。
【００３４】
また、本発明は、配管固定具(40)の配管支持部(43)に配管位置決め挿入口(44)が形成され、前記配管支持部(43)は、基礎(30)上面に固定された基礎固定部(41)の端部から基礎(30)の側面に沿って下方に延びている鉛直連結部(42)の下端から室内側に向かって横方向に延びているものである。このため、配管位置決め挿入口(44)の位置を、建物躯体(31)である基礎(30)を基準として設定することができる。すなわち、配管位置決め挿入口(44)の基礎(30)からの距離を正確に特定することができる。これにより、床下配管(11)を配管固定具(40)の配管位置決め挿入口(44)に挿入するだけで、床下配管(11)の建物躯体(31)に対する位置決めを正確に設定することができて、床下配管(11)を正確に支持することができ、床下配管(11)の位置決め作業を容易なものにすることができる。
【００３５】
一方、この配管固定具(40)に配置される床下配管(11)が接続される洗面台等の屋内配管も、その周囲の壁パネル等の建物躯体(31)に対して予め特定の位置に正確に定まるものである。このため、取り付け位置が建物躯体(31)を基準として正確に設定されている室内の洗面台等の屋内配管との接続を、確実且つ正確に行うことができ、配管(10)の固定作業をスムーズに行うことができる。
【００３６】
【発明の実施の形態】
以下、本発明の実施の形態を図面に基づいて、更に詳しく説明する。
【００３７】
図１乃至図３は、本発明の第一の実施の形態であって、図１は床下配管を配管固定具に配置した状態の縦断面図、図２は床下配管を引っ張り上げている状態の縦断面図、図３は配管固定具の外観斜視図をそれぞれ示す。
【００３８】
まず、本実施の形態の構成について説明する。
【００３９】
本実施の形態に係る配管固定構造は、屋外に配置される上水道本管から室内に水道水を導く給水管や、屋外に配置された給湯器から室内に温水を導く給湯管等の床下配管11である配管10を、床下から室内に向かって通しているものである。もちろん、床下配管11は、給水管や給湯管に限定されることはなく、室内23から床下21に形成される配水管も含むことができるものである。
【００４０】
具体的には、配管固定構造は、建物躯体31となる建物の基礎30と、この基礎30に固定されて床下配管11を固定可能な縦断面形状が略クランク状の金属からなる配管固定具40と、この配管固定具40に固定されて床下21から床パネル20の上方にまで延びて可撓性を有する床下配管11と、この床下配管11の上方の床パネル20の表裏に貫通して床下配管11が通過可能な貫通孔22を有する床パネル20とを備えているものである。なお、この配管固定構造における建物躯体31は、地面に埋設されるコンクリートからなる縦断面形状が略Ｔ字状の基礎30と、この基礎30の上面に載置される調整材24及び前記床パネル20と、それらの上に固定される壁パネル25とを備えている。前記床パネル20及び壁パネル25は、特に図示しないが、四角枠状の木質の四角枠材と、その枠内を塞ぐ木質の面材とを備えているものである。
【００４１】
前記配管固定具40は、基礎30の上面に沿って水平方向に配置されて基礎30の上面に水平に固定される長方形薄板状の基礎固定部41と、この基礎固定部41の室内23側の端部から基礎30の内側側面に沿って下方に延びる長方形板状の鉛直連結部42と、この鉛直連結部42の下端から室内23側に向かって横方向に延びる二本の配管支持部43とを備えている。この配管支持部43は、鉛直連結部42の下部から直角に室内側に向かって延びる棒状の棒状延設部61と、この棒状延設部61の先端に固定される円筒状の筒状保持部62とを備えている。そして、この筒状保持部62の内部には、床下配管11が挿入されて所定の位置に床下配管11を支持可能な配管位置決め挿入口44が形成されている。
【００４２】
前記配管固定具40に配置された床下配管11の上端部には、貫通孔22の内部を通過可能であって、その床下配管11の上端部を塞ぐためのキャップ50がはめ込まれている。そして、このキャップ50は、床下配管11の上端部を塞ぐ有底円筒状のキャップ本体部材56と、針金等の棒状部材を曲折することにより得られると共に、前記キャップ本体部材56に固定される係止部材57とを備えている。前記キャップ本体部材56は、その下部に横方向に貫通して係止部材57の一端が差し込み可能な差し込み孔55を備えている。前記係止部材57は、その一端側に位置して前記差し込み孔55に差し込み可能な横方向に延びる差し込み先端部59と、この差し込み先端部59から上方に延びて四角枠状の係止部51と、この係止部51から下方に向かって延びて、その他方側の端部がく字状に曲折されたく字状曲折部58とを備えている。前記差し込み先端部59は、差し込み孔55に差し込まれた状態で、その先端が差し込み孔55から僅かに突出するような状態に設定されている。また、係止部51は、床パネル20の上方から貫通孔22を通して差し込まれるフック状の被係止部54を有する引き上げ具52の先端と係止可能に形成されているものである。また、く字状曲折部58は、そのく字状に折り曲げた部分を床下配管11側に向かって突出させて床下配管11の先端とキャップ本体部材56との間のくぼみに引っかかるように配置されている。また、このく字状曲折部58は、その先端を配管支持部43の筒状保持部62と床下配管11との間の隙間に挟み込んで、係止部材57が動かないように確実に固定させても良いものである。
【００４３】
次に、建物の床パネル20の下に配置された床下配管11を、床パネル20の上の屋内配管に接続する際の配管10の施工手順について説明する。
【００４４】
この施工手順は、床下21に床下配管11の端部を配置した後、床パネル20を形成し、その床下配管11の上方の位置の床パネル20に開けられた貫通孔22から床下配管11の端部を引き上げ、床パネル20の上方で床下配管11の端部を屋内配管に接続するものである。
【００４５】
以下、この施工手順を具体的に述べる。
【００４６】
先ず、最初に、基礎30を形成し、その基礎30に配管固定具40を固定する。具体的には、配管固定具40の基礎固定部41を基礎30の上面に載置し、特に図示していないが、ボルト等の締結部材を基礎30の上面から基礎固定部41を挟み込んだ状態で打ち込み、両者を固定する。その際、配管固定具40の鉛直連結部42が、基礎30の室内側の内面に沿って配置されるように形成する。なお、特に図示していないが、配管固定具40と基礎30との間に両者の隙間を埋めて密着させるための弾性ゴム等のクッション材を挟み込んでも良いものである。
【００４７】
次に、その配管固定具40に床下配管11の上端部を基礎30の上端面より低い位置となるように配置する。なお、この床下配管11の上端部には、上述したキャップ本体部材56及び係止部材57からなるキャップ50がはめ込まれている。
【００４８】
次に、基礎30の上面に床パネル20を形成する。
【００４９】
次に、床下配管11の配置位置に合わせてドリル等を使用して床パネル20の表裏に貫通する貫通孔22を床パネル20に形成する。なお、この貫通孔22は、予め、床パネル20の生産工場において、開口しておいても良いものである。
【００５０】
次に、図１に示すように、係止部51に係止可能なフック状の被係止部54を先端に有する引き上げ具52を、床パネル20の上方から床下21に向かって貫通孔22に通す。
【００５１】
次に、図２に示すように、引き上げ具52の被係止部54を貫通孔22の下方に通した後、引き上げ具52の被係止部54をキャップ50の係止部51に引っかけて、引き上げ具52を上方に引き上げることにより、キャップ50及び床下配管11を貫通孔22の上方に引き上げる。これにより、貫通孔22から床下配管11の上端部を床パネル20の上方に引っ張り上げることができる。
【００５２】
次に、この引っ張り上げた床下配管11の上端部を屋内配管に接続する。これにより、床下配管11と屋内配管とを接続させることができ、床下配管11の固定作業が終了する。
【００５３】
次に、上記した実施の形態の作用及び効果について説明する。
【００５４】
本実施の形態は、床パネル20下面の床下21に床下配管11の端部を配置した後、床パネル20を形成し、その後、その床下配管11の上方の位置の床パネル20に開けられた貫通孔22から床下配管11の端部を引き上げている。そして、床下配管11を床パネル20の上に引き上げた後、床パネル20の上方で床下配管11の端部を屋内配管に接続している。このため、床下配管11と屋内配管との接続作業を、床パネル20の下の床下21での接続作業をすることなく、行うことができる。これにより、狭くて暗く、また、地面に直接、接して作業環境としては良くない床下21での接続作業を回避することができ、広くて明るく、床パネル20の上の良好な作業環境の下で、床下配管11と屋内配管との接続作業を行うことができ、床下配管11の接続作業を容易にすることができる。
【００５５】
本実施の形態は、床下配管11を固定する配管固定具40が、基礎30に固定されている。このため、床下配管11の取付位置が基礎30等の建物躯体31を基準として正確に設定される。これにより、床下配管11の取付位置が建物躯体31を基準とした取付予定位置からずれて敷設されることを抑えることができ、床下配管11の設置位置の精度を良好なものにすることができ、床下配管11を床下21で配置する位置を正確に設定することができる。
【００５６】
また、床下配管11を床下21で配置する位置を正確に特定することができるため、これらの床下配管11を床下21から床上に通すために床パネル20に形成する貫通孔22の形成位置も正確に特定することができ、その寸法形状も必要最小限に抑えることができる。そして、貫通孔22の寸法形状を必要最小限に抑えることができるため、貫通孔22と床下配管11との間の隙間も最小限に抑えることができ、特に図示していないが、かかる隙間を埋める作業を簡単なものにすることができて、使用材料費を抑えて床下配管11の取り付け作業を容易なものにすることができる。
【００５７】
そして、上述したように基礎30に配管固定具40を固定しているため、床下配管11の取付位置を、基礎30等の建物躯体31を基準として正確に設定することができる。一方、この床下配管11を接続する屋内配管等は、その位置が床パネル20等の建物躯体31を基準とした正確な位置に設定されている。すなわち、床下21から室内23側に向かって延びる床下配管11と、室内に配置される屋内配管との両者共に、基礎30等の建物躯体31を基準として、正確に位置することとなって、両者の接続を、正確、且つ確実に行うことができ、床下配管11の取り付け作業をスムーズに行うことができる。
【００５８】
更に、具体的には、配管固定具40の配管支持部43に配管位置決め挿入口44が形成され、前記配管支持部43は、基礎30上面に固定された基礎固定部41の端部から基礎30の側面に沿って下方に延びている鉛直連結部42の下端から室内側に向かって横方向に延びているものである。このため、配管位置決め挿入口44の位置を、建物躯体31である基礎30を基準として設定することができる。すなわち、配管位置決め挿入口44の基礎30からの距離を正確に特定することができる。これにより、床下配管11を配管固定具40の配管位置決め挿入口44に挿入するだけで、床下配管11の建物躯体31に対する位置決めを正確に設定することができて、床下配管11を正確に支持することができ、床下配管11の位置決め作業を容易なものにすることができる。
【００５９】
また、床下配管11は、可撓性を有している。このため、床下配管11を貫通孔22を介して床パネル20の上方に引っ張り上げる作業を、剛性を有する剛管等を使用する場合と比較して、作業中に貫通孔22の途中で引っかかることもなく、容易に行うことができる。さらに、床下配管11が可撓性を有しいるため、床パネル20の貫通孔22の位置と、配管固定具40に床下配管11を配置した位置とが、ずれて形成されていても、床下配管11を途中で強制的に簡単に曲げることができ、両者間を通すことができる。これにより、貫通孔22の位置と、配管固定具40に床下配管11を配置した位置とを互いに移動させたり、貫通孔22の大きさを変更させる必要がなく、両者の位置や形状の寸法誤差等を吸収することができ、配管10の固定作業を容易にすることができる。
【００６０】
本実施の形態は、係止部51に係止可能な被係止部54を先端に有する引き上げ具52を貫通孔22に通して、この引き上げ具52の被係止部54をキャップ50の係止部51に引っかけて、引き上げ具52を引き上げることにより、キャップ50及び床下配管11を貫通孔22の上方に引き上げている。すなわち、床下配管11の引き上げ作業において、床下21に差し込んでいるのは、引き上げ具52だけである。このため、床下21に手等を差し込むことなく、床パネル20の上面の室内23側から床下配管11を引っ張り上げることができ、床下配管11の引き上げ作業を容易にすることができる。
【００６１】
また、本実施の形態において、基礎固定部41が基礎30の上面に沿って水平方向に配置されて基礎30上面に固定されている。そして、基礎固定部41の室内側の端部から基礎30の側面に沿って下方に鉛直連結部42が形成され、この鉛直連結部42の下端から床下配管11を支持する配管支持部43が延びている。このため、配管支持部43に床下配管11が支持され、床下配管11や配管支持部43及び鉛直連結部42の自重が基礎固定部41の端部に加わっても、かかる荷重は、基礎固定部41の下面の全体において、基礎30の上面に分散して伝わることとなる。すなわち、かかる荷重が基礎固定部41を基礎30に固定するための締結部材等の特定の領域に集中することなく、基礎固定部41の下面全体に荷重を分散させて支持することができる。これにより、応力が特定の箇所に集中することを避け、破断や変形等を回避し、確実に床下配管11を支持することができる。
【００６２】
次に、第二の実施の形態について説明する。
【００６３】
図４は、本発明の第二の実施の形態であって、配管固定具の外観斜視図を示すものである。
【００６４】
この配管固定具40は、基礎30の上面の室内12側にねじ等により固定される平板状の基礎固定部41と、この基礎固定部41の室内23側の端部から基礎30の表面に沿って床下21の下方に向かって延びる鉛直連結部42と、この鉛直連結部42の下端から建物の中心側に向かって横方向に延びる配管支持部43とを備えている。前記基礎固定部41には、ねじ等を差し込むために二個の表裏に貫通する固定孔45が形成されている。そして、前記配管支持部43は、鉛直方向に配置した床下配管11の途中を配管固定具40に向かって押し込んで取り付け、及び配管固定具40から引き離す方向に引っ張って取り外し可能な配管位置決め挿入口44を備えている。この配管位置決め挿入口44は、具体的には、配管支持部43の両側端からＵ字状に切り欠かれているものであって、床下配管11の先端を通したり、引き抜いたりすることにより、着脱するのではなく、鉛直方向に配置した床下配管11の途中を押し込んで、或いは引っ張って着脱可能に形成されている。その他の構成は、第一の実施の形態と略同様であって、説明を省略する。
【００６５】
次に、上記した実施の形態の作用及び効果について説明する。
【００６６】
本実施の形態は、配管固定具40は、鉛直方向に配置した床下配管11の途中を配管固定具40に向かって押し込んで取り付け、或いは配管固定具40から引き離す方向に引っ張って取り外し可能な配管位置決め挿入口44を備えている。このため、床下配管11の先端から通す必要がなく、床下配管11の配管固定具40への取付作業を容易にすることができる。また、床下配管11を配管固定具40から引き離す方向に引っ張って取り外すことができるため、床下配管11を取り外す際にも、床下配管11を先端まで引き抜く必要がなく、簡単に取り外すことができる。これにより、床下配管11の着脱作業を容易にすることができる。
【００６７】
次に、第三の実施の形態について説明する。
【００６８】
図５は、本発明の第三の実施の形態であって、配管固定具の外観斜視図を示すものである。
【００６９】
本実施の形態に係る配管固定具40は、基礎30の上面に固定孔45を通るねじ等を介して固定される薄板状の基礎固定部41と、この基礎固定部41の室内23側の端部から基礎30の表面を床下21の下方側に向かって延びる鉛直連結部42と、この鉛直連結部42の表面から建物の中央側に向かって延びる二本の配管支持部43とを備えていることを特徴とするものである。具体的には、配管支持部43は、鉛直連結部42の表面に固定されて建物の中央側に向かって延びる延設部48と、この延設部48の先端から延びて床下配管11の外周表面と略同等の曲率を有する半円状の半円状保持部46と、この半円状保持部46の先端から延びて開く方向に折り曲げられた差し込み用折り曲げ片47とを備えている。そして、配管支持部43は、前記延設部48、半円状保持部46及び差し込み用折り曲げ片47を、互いに対称であって、対向するように形成されてあり、対向する半円状保持部46の間に床下配管11が挟み込み可能に形成されている。また、前記差し込み用折り曲げ片47は、床下配管11を押し込むことにより、床下配管11の表面に沿って外側に向かって押し広げられ、半円状保持部46間に床下配管11を押し込み可能に形成されているものである。その他の構成は、第一の実施の形態と略同様であって、同一の構成には、同一の部品番号を付与して説明を省略する。
【００７０】
本実施の形態によれば、配管支持部43が、それぞれ互いに対向する延設部48、半円状保持部46及び差し込み用折り曲げ片47から形成されている。このため、床下配管11を配管支持部43の正面側から押し込むことにより、床下配管11の表面に沿って差し込み用折り曲げ片47が押し広げられ、床下配管11を簡単に半円状保持部46間に挿入することができる。また、配管支持部43に固定した床下配管11を取り出す際にも、床下配管11を配管支持部43の正面側に向かって引っ張るだけで、それぞれ対向する延設部48、半円状保持部46及び差し込み用折り曲げ片47の間隔が弾性変形により、押し広げられ、床下配管11を簡単に取り出すことができる。
【００７１】
次に、第四の実施の形態について説明する。
【００７２】
図６及び図７は、本発明の第四の実施の形態であって、図６は配管固定具に配置した床下配管のキャップにドリルをねじ込んだ状態の縦断面図、図７はドリルと共に床下配管を引っ張り上げている状態の縦断面図を示すものである。
【００７３】
本実施の形態は、配管固定具40に固定された床下配管11の上端部には、その床下配管11の上端部を塞ぐためのキャップ50が形成されている。そして、このキャップ50は、その上部がドリル53等の切削工具の先端がねじ込み可能な木質から形成されているものである。具体的には、貫通孔22を開口したドリル53の先端をキャップ50の上面にねじ込むことにより、ドリル53の先端とキャップ50とを連結し、かかる状態のドリル53を引き上げることにより、キャップ50及び床下配管11を貫通孔22の上方に引き上げ可能に形成されているものである。したがって、キャップ50を貫通孔22内に通すためにキャップ50の外径は、ドリル53の最大外径より小さくなるように設定されている。また、ドリル53の先端は、キャップ50の上面にねじ込み可能となるように先細に形成されている。その他の構成は、第一の実施の形態と略同様であって、同一の構成には、同一の部品番号を付与して説明を省略する。
【００７４】
次に、本実施の形態に係る配管10の施工手順を説明する。
【００７５】
先ず、最初に基礎30を形成し、その基礎30に配管固定具40を固定し、この配管固定具40に床下配管11を配置するまでは、第一の実施の形態の施工手順と同様である。なお、この配管固定具40に固定された床下配管11の上端部には、その床下配管11の上部を塞ぐための木質からなるキャップ50が形成されている。
【００７６】
次に、基礎30の上面に床パネル20を形成する。
【００７７】
次に、床下配管11の配置位置に合わせて床パネル20の表裏に貫通する貫通孔22をドリル53によって開口する。
【００７８】
次に、図６に示すように、貫通孔22を開口したドリル53の先端を、配管固定具40に固定された床下配管11の上端部のキャップ50にまでねじ込ませる。これにより、ドリル53の先端にキャップ50を固定する。
【００７９】
次に、図７に示すように、ドリル53の先端にキャップ50を固定した状態でドリル53を引き上げることにより、キャップ50及び床下配管11を貫通孔22の上方に引き上げる。これにより、貫通孔22から床下配管11の上端部を床パネル20の上方に引っ張り上げることができる。
【００８０】
次に、この引っ張り上げた床下配管11の上端部を屋内配管に接続する。これにより、床下配管11と屋内配管とを接続させることができ、床下配管11の固定作業が終了する。
【００８１】
本実施の形態によれば、床パネル20の貫通孔22を形成する切削工具であるドリル53の先端をそのまま、キャップ50の上面にねじ込ませて、キャップ50とドリル53とを連結し、ドリル53を引き上げることにより、キャップ50と共に床下配管11を貫通孔22の上方に引っ張り上げている。このため、床下配管11を貫通孔22の上方に引っ張り上げるための特別の道具を使用する必要がなく、部材数を低減させることができ、配管10の固定作業を容易なものにすることができる。
【００８２】
なお、ここで、キャップ50の材質は、木質であるが、特にこれに限定されるものではなく、ドリル53等の切削工具がねじ込み可能な材質であれば良いものである。例えば、樹脂や、コルクや、ゴム等であっても良いものである。
【００８３】
【発明の効果】
本発明は、以上のように構成されているので、以下に記載されるような効果を奏する。
【００８４】
請求項１記載の発明によれば、床下での床下配管の接続作業をする必要がなくなり、床下配管の接続作業を容易にすることができる配管の固定方法を提供することができる。
【００８５】
さらに、請求項１記載の発明によれば、床下配管の位置決め作業を容易且つ確実にすることができて、配管の固定作業を容易にすることができる配管の固定方法を提供することができる。
【００８６】
請求項２記載の発明によれば、床下配管の床下からの引き上げ作業を容易にすることができて、床下配管の接続作業を容易にすることができる配管の固定方法を提供することができる。
【００８７】
請求項３記載の発明によれば、床下での床下配管の接続作業を不要にして、床下配管の位置決め作業を容易且つ確実にすることができ、床下配管を床下から容易に引き上げることができて、床下配管の接続作業を容易にすることができる配管固定構造を提供することができる。
【００８８】
請求項４記載の発明によれば、簡単な構造で、床下配管を確実且つ正確に支持することができて、配管固定作業をスムーズに行うことができる配管固定構造を提供することができる。
【図面の簡単な説明】
【図１】本発明の第一の実施の形態であって、床下配管を配管固定具に配置した状態を示す縦断面図である。
【図２】本発明の第一の実施の形態であって、床下配管を引っ張り上げている状態を示す縦断面図である。
【図３】本発明の第一の実施の形態であって、配管固定具を示す外観斜視図である。
【図４】本発明の第二の実施の形態であって、配管固定具を示す外観斜視図である。
【図５】本発明の第三の実施の形態であって、配管固定具を示す外観斜視図である。
【図６】本発明の第四の実施の形態であって、配管固定具に配置した床下配管のキャップにドリルをねじ込んだ状態を示す縦断面図である。
【図７】本発明の第四の実施の形態であって、ドリルと共に床下配管を引っ張り上げている状態を示す縦断面図である。
【図８】従来の配管固定構造を示す概略模式図である。
【図９】従来の配管固定構造を示す縦断面図である。
【符号の説明】
10  配管                            11  床下配管
20  床パネル                        21  床下
22  貫通孔                          23  室内
24  調整材                          25  壁パネル
30  基礎                            31  建物躯体
40  配管固定具                      41  基礎固定部
42  鉛直連結部                      43  配管支持部
44  配管位置決め挿入口              45  固定孔
46  半円状保持部                    47  差し込み用折り曲げ片
48  延設部                          50  キャップ
51  係止部                          52  引き上げ具
53  ドリル                          54  被係止部
55  差し込み孔                      56  キャップ本体部材
57  係止部材                        58  く字状曲折部
59  差し込み先端部                  61  棒状延設部
62  筒状保持部                     110  建物躯体
111 床パネル                      112 貫通孔
115 床下配管                      120 敷地
130 基礎                          140 給湯器
150 給湯管                        160 道路
170 継ぎ手部材                    180 引き込み管
185 上水道本管                    190 屋内配管
195 給水栓                        196 鉛直連結管
【図１】
0004408977.tif 000002
【図２】
0004408977.tif 000003
【図３】
0004408977.tif 000004
【図４】
0004408977.tif 000005
【図５】
0004408977.tif 000006
【図６】
0004408977.tif 000007
【図７】
0004408977.tif 000008
【図８】
0004408977.tif 000009
【図９】
0004408977.tif 000010